(57)【要約】【課題】隔壁部と第１配線との間の接触状態を確認しながら製造できる端子台装置を提供すること。【解決手段】端子台アッパー３４には、隔壁部３４ａが設けられ、隔壁部３４ａは、フロントカバー４１の空間部４５から端子部３２へ向かう第１配線２５の延在方向において、空間部４５に挿通されている第１配線２５とフロントカバー４１との間に介在させられている。【選択図】図２
2020205674.tif 000002
【特許請求の範囲】
【請求項１】
モータ本体の一部であり、第１配線を挿通するための空間部が形成されている台座に取り付けられるとともに絶縁材料により形成される端子台と、
前記空間部に挿通されるとともに前記モータ本体が有する回転軸の軸方向へ屈曲された前記第１配線と第２配線とを電気的に接続し、前記端子台に設けられる端子部と、を備える端子台装置であって、
前記端子台は、
前記台座に固定され、前記空間部に連通する開口部を有する端子台ロアと、
前記空間部から延在する前記第１配線を覆うように配置されている端子台アッパーと、を備え、
前記端子台アッパーには、隔壁部が設けられ、
前記隔壁部は、前記空間部から前記端子台へ向かう前記第１配線の延在方向において、前記空間部に挿通されている前記第１配線と前記台座との間に介在させられていることを特徴とする端子台装置。
【請求項２】
前記端子台アッパーの外縁には、前記端子台ロア及び前記端子台アッパーを前記台座に固定したときに前記端子台ロアの外縁を覆うように接触する枠部が設けられていることを特徴とする請求項１に記載の端子台装置。
【請求項３】
前記端子台アッパー及び前記端子台ロアは、前記台座に対して共通の固定部材で取り付けられていることを特徴とする請求項１又は請求項２に記載の端子台装置。
【請求項４】
前記端子台ロアを前記台座に固定した状態において、前記端子台ロアの前記開口部の縁部における前記第１配線の延在方向に直交する方向に対応する部分には、前記空間部に向けて突出する絶縁部が設けられていることを特徴とする請求項１〜請求項３のいずれか一項に記載の端子台装置。
【発明の詳細な説明】
【技術分野】
【０００１】
本発明は、端子台装置に関する。
【背景技術】
【０００２】
従来、特許文献１に記載されるような端子台装置が知られている。
上記の端子台装置は、モータから延出する第１配線と第２配線とを電気的に接続するために使用される。モータ本体は、ステータと、ステータの内部にて回転するロータとを有している。ステータは、ステータコアと、コイルとを有しており、ステータコアの両端部にはコイルのコイルエンドが形成されている。コイルエンドからは第１配線が延出している。ロータは、ロータコアと、ロータコアの中心を貫通して固定された回転軸とを有している。
【０００３】
モータ本体は、フロントカバー及びリアカバーを有している。回転軸の軸方向において、モータ本体は、フロントカバー及びリアカバーにより挟み込まれている。フロントカバー及びリアカバーは、ステータを固定する固定部をなしている。フロントカバー及びリアカバーは、ステータコアの両端部に形成されているコイルエンドを覆っている。
【０００４】
端子台装置は、フロントカバーに固定されている。フロントカバーは、端子台装置を固定するための台座をなしている。フロントカバーには、ステータから延出する第１配線を挿通するための空間部を有している。端子台装置は、端子台ロアとしての端子台本体と端子台アッパーとしてのカバー体とを備える端子台と、空間部に挿通されるとともにモータ本体が有する回転軸の軸方向へ屈曲された第１配線と第２配線とを電気的に接続する端子部とを有している。端子台は、絶縁材料により形成されている。端子部は、端子台に設けられている。
【０００５】
端子台本体は、フロントカバーに固定され、フロントカバーの空間部に連通する開口部を有している。端子台本体の開口部は、空間部に挿通された第１配線を挿通させるために設けられている。端子台本体には、開口部に倣って形成された隔壁部が形成されている。隔壁部は、空間部に挿通されている第１配線とフロントカバーとの間に介在させられている。隔壁部は、空間部に挿通されている第１配線とフロントカバーとを絶縁する機能を有している。カバー体は、空間部から延在する第１配線を覆うように配置されている。カバー体は、端子台本体とともにフロントカバーにボルトにより固定されている。端子部は、第１配線の先端に設けられた圧着端子と第２配線の先端に設けられた圧着端子とを固定している。端子部により第１配線と第２配線とを電気的に接続することで第１配線の端子台装置に対する位置が固定されている。
【先行技術文献】
【特許文献】
【０００６】
【特許文献１】特開２０１７−５９３００号公報
【発明の概要】
【発明が解決しようとする課題】
【０００７】
上記の端子台装置をフロントカバーに固定する場合、端子台本体の隔壁部を空間部に挿通されている第１配線とフロントカバーとの間に介在させるように端子台本体をフロントカバーに取り付けた後、カバー体を端子台本体とともにフロントカバーに固定する。
【０００８】
ところで、空間部から端子部へ向かう第１配線の延在方向において、第１配線と隔壁部との間隔が狭くなることがある。ひいては、カバー体が端子台本体とともにフロントカバーに固定されるまでの間に第１配線がなりゆきで隔壁部に対して摺接する虞がある。第１配線が隔壁部に接触すると騒音の発生原因となるが、第１配線の隔壁部に対する接触状態を確認することができないため、確認することができるように改善が求められた。
【０００９】
本発明は、このような従来の技術に存在する問題点に着目してなされたものであり、その目的は、隔壁部と第１配線との間の接触状態を確認しながら組立できる端子台装置を提供することにある。
【課題を解決するための手段】
【００１０】
上記課題を解決する端子台装置は、モータ本体の一部であり、第１配線を挿通するための空間部が形成されている台座に取り付けられるとともに絶縁材料により形成される端子台と、前記空間部に挿通されるとともに前記モータ本体が有する回転軸の軸方向へ屈曲された前記第１配線と第２配線とを電気的に接続し、前記端子台に設けられる端子部と、を備える端子台装置であって、前記端子台は、前記台座に固定され、前記空間部に連通する開口部を有する端子台ロアと、前記空間部から延在する前記第１配線を覆うように配置されている端子台アッパーと、を備え、前記端子台アッパーには、隔壁部が設けられ、前記隔壁部は、前記空間部から前記端子台へ向かう前記第１配線の延在方向において、前記空間部に挿通されている前記第１配線と前記台座との間に介在させられている。
【００１１】
これによれば、台座の空間部及び端子台ロアの開口部に第１配線が挿通されるように端子台ロアを台座に取り付けた後に、第１配線を覆うように端子台アッパーを配置する。そして、端子台ロアと端子台アッパーとを台座に固定する。端子台アッパーを端子台ロアとともに台座に固定するにあたり、端子台アッパーの隔壁部を台座の空間部に挿通させる。このとき、空間部に挿通されている第１配線と隔壁部との接触状態を確認しながら端子台アッパーを端子台ロアとともに台座に取り付けることができる。したがって、隔壁部と第１配線との間の接触状態を確認しながら組立できる。
【００１２】
上記の端子台装置において、前記端子台アッパーの外縁には、前記端子台ロア及び前記端子台アッパーを前記台座に固定したときに前記端子台ロアの外縁を覆うように接触する枠部が設けられているとよい。
【００１３】
台座の空間部及び端子台ロアの開口部に第１配線を挿通させ、端子台アッパーを取り付けたとき、端子台アッパーが端子台ロアに対して位置ずれすると、隔壁部が第１配線に対して摺接する可能性が高くなる。
【００１４】
その点、これによれば、端子台ロア及び端子台アッパーを台座に固定したときに端子台ロアの外縁を覆うように端子台アッパーの枠部が接触する。そのため、端子台アッパーの端子台ロアに対する位置を固定することができる。したがって、第１配線と隔壁部とが接触する可能性を抑制することができる。
【００１５】
上記の端子台装置において、前記端子台アッパー及び前記端子台ロアは、前記台座に対して共通の固定部材で取り付けられているとよい。
これによれば、端子台アッパーと端子台ロアとの取り付け作業が簡素化できる。
【００１６】
上記の端子台装置において、前記端子台ロアを前記台座に固定した状態において、前記端子台ロアの前記開口部の縁部における前記第１配線の延在方向に直交する方向に対応する部分には、前記空間部に向けて突出する絶縁部が設けられているとよい。
【００１７】
これによれば、第１配線と台座とが接触する可能性を更に抑制することができる。
【発明の効果】
【００１８】
この発明によれば、隔壁部と第１配線との間の接触状態を確認しながら組立できる。
【図面の簡単な説明】
【００１９】
【図１】端子台装置を適用したモータの斜視図。
【図２】モータの部分断面図。
【図３】端子台装置の分解斜視図。
【図４】端子台装置の分解斜視図。
【発明を実施するための形態】
【００２０】
以下、端子台装置を具体化した実施形態を図１〜図４にしたがって説明する。本実施形態の端子台装置は、三相誘導電動機である電動モータに適用されるものである。そのため、本実施形態では、電動モータの構成についても説明する。
【００２１】
図１に示すように、電動モータ１０は、モータ本体２０と、モータ本体２０に設けられている端子台装置３０とを備えている。
モータ本体２０は、ステータ２１を有している。ステータ２１の外周面には、端子台装置３０の一部を支持し、固定するための支持部２１ａが設けられている。
【００２２】
図２に示すように、モータ本体２０は、ステータ２１の内部にて回転するロータ２２を備えている。ステータ２１は、ステータコア２３と、コイル２４とを備えている。ステータコア２３の両端部には、コイル２４のコイルエンド２４ａが形成されている。ステータコア２３の両端部の一方のコイルエンド２４ａからは第１配線２５が延出している。ロータ２２は、ロータコア２６と、ロータコア２６の中心を貫通して固定された回転軸２７とを有している。なお、図２中では、ステータコア２３の両端部の一方のコイルエンド２４ａのみが図示されている。
【００２３】
図１に示すように、モータ本体２０は、フロントカバー４１及びリアカバー４２を有している。電動モータ１０の回転軸２７の軸方向において、ステータ２１は、フロントカバー４１及びリアカバー４２により挟み込まれている。フロントカバー４１及びリアカバー４２は、それぞれ四角ブロック状をなしている。フロントカバー４１及びリアカバー４２は、４つの通しボルト４３によりステータ２１に対して固定されている。フロントカバー４１及びリアカバー４２は、ステータ２１を固定する固定部をなしている。
【００２４】
端子台装置３０は、モータ本体２０の一部、且つ固定部の一部であるフロントカバー４１に対してボルト４７により固定されている。また、端子台装置３０は、ステータ２１の外周面に設けられた支持部２１ａに対してボルト４６により固定されている。なお、端子台装置３０を固定する場合、端子台装置３０を先にステータ２１の支持部２１ａにボルト４６で固定した後、フロントカバー４１に対してボルト４７で固定する。
【００２５】
図２に示すように、フロントカバー４１は、ステータコア２３の両端部の一方に形成されたコイルエンド２４ａを覆っている。ロータ２２の有する回転軸２７は、フロントカバー４１を貫通している。回転軸２７は、フロントカバー４１に軸受４４を介して回転可能に支持されている。フロントカバー４１には、ステータ２１（ステータコア２３）から延びる第１配線２５を挿通するための空間部４５が形成されている。なお、図示しないが、リアカバー４２は、ステータコア２３の両端部の他方に形成されたコイルエンド２４ａを覆っている。また、ロータ２２の回転軸２７は、リアカバー４２に軸受を介して回転可能に支持されている。また、空間部４５は、ステータ２１のコイルエンド２４ａ側の端部の一部を切り欠くことで形成されていてもよい。空間部４５をステータ２１に形成する場合、ステータ２１は台座の一例である。
【００２６】
図３に示すように、フロントカバー４１の空間部４５に挿通されている第１配線２５は、３つの配線２５ａ，２５ｂ，２５ｃにより構成されている。具体的には、配線２５ａは、電動モータ１０のＵ相に接続されている配線である。配線２５ｂは、電動モータ１０のＶ相に接続されている配線である。配線２５ｃは、電動モータ１０のＷ相に接続されている配線である。３つの配線２５ａ，２５ｂ，２５ｃのそれぞれの先端には、圧着端子２５ｄが設けられている。
【００２７】
端子台装置３０は、第１配線２５と外部機器に接続される第２配線２８とを電気的に接続するために使用される。第２配線２８は、第１配線２５の３つの配線２５ａ，２５ｂ，２５ｃのそれぞれに電気的に接続される３つの配線２８ａ，２８ｂ，２８ｃにより構成されている。３つの配線２８ａ，２８ｂ，２８ｃのそれぞれの先端には、圧着端子２８ｄが設けられている。なお、第１配線２５を構成する３つの配線２５ａ，２５ｂ，２５ｃ及び第２配線２８を構成する３つの配線２８ａ，２８ｂ，２８ｃは、例えば導電部材からなる導線と、当該導線の周囲を覆う樹脂等で形成されるチューブとにより構成されている。各配線２５ａ，２５ｂ，２５ｃ，２８ａ，２８ｂ，２８ｃの先端は、チューブにより覆われていない。すなわち、各配線２５ａ，２５ｂ，２５ｃ，２８ａ，２８ｂ，２８ｃのチューブに覆われていない先端に露出する導線に各圧着端子２５ｄ，２８ｄが設けられている。
【００２８】
図３及び図４に示すように、端子台装置３０は、端子台３１と、端子部３２とを備えている。端子台３１は、台座としてのフロントカバー４１に取り付けられるとともに絶縁材料により形成されている。端子台３１は、絶縁材料により形成される端子台ロア３３と、絶縁材料により形成される端子台アッパー３４とを有している。端子台ロア３３及び端子台アッパー３４は、例えば絶縁材料としてのナイロン（ＰＡ６６）により形成されている。
【００２９】
端子台ロア３３は、板状をなしている。端子台ロア３３は、第１配線２５が挿通されるようにモータ本体２０の一部である台座としてのフロントカバー４１に形成された空間部４５に連通する開口部３３ａを有している。開口部３３ａは、端子台ロア３３の板厚方向に貫通するとともに端子台ロア３３をフロントカバー４１に載置している状態で回転軸２７の軸方向に開口するコの字形状をなしている。フロントカバー４１の空間部４５及び端子台ロア３３の開口部３３ａに挿通された第１配線２５は、モータ本体２０が有する回転軸２７の軸方向へ屈曲させられた状態となっている。空間部４５及び開口部３３ａに挿通された第１配線２５は、回転軸２７の軸方向に沿ってリアカバー４２側に向けて延出している。端子台ロア３３には、一対の絶縁部３３ｂが設けられている。一対の絶縁部３３ｂは、端子台ロア３３の開口部３３ａの縁部における第１配線２５の延在方向に直交する方向に対応する部分からフロントカバー４１の空間部４５に向けて突出している。端子台ロア３３をフロントカバー４１に固定した状態（図１参照）において、一対の絶縁部３３ｂは、空間部４５に挿通された状態でフロントカバー４１に接触する。すなわち、一対の絶縁部３３ｂは、第１配線２５の延在方向に直交する方向において空間部４５に挿通されている第１配線２５とフロントカバー４１との間に介在させられている。よって、一対の絶縁部３３ｂは、第１配線２５の延在方向に直交する方向において第１配線２５とフロントカバー４１とを絶縁する機能を有している。
【００３０】
端子台ロア３３には、開口部３３ａに隣接するように複数の支持ピン３３ｃが設けられている。複数の支持ピン３３ｃは、第１配線２５の延在方向に直交する方向に沿って並んでいる。複数の支持ピン３３ｃは、端子台ロア３３におけるステータ２１と反対側の表面から突出している。複数の支持ピン３３ｃには、第１配線２５を構成する３つの配線２５ａ，２５ｂ，２５ｃのそれぞれに設けられている圧着端子２５ｄが電気的に接続されている。また、複数の支持ピン３３ｃには、第２配線２８を構成する３つの配線２８ａ，２８ｂ，２８ｃのそれぞれに設けられている圧着端子２８ｄが電気的に接続されている。複数の支持ピン３３ｃの先端には、雄ねじが設けられている。複数の支持ピン３３ｃに圧着端子２５ｄ，２８ｄを電気的に接続させた状態において、複数の支持ピン３３ｃの先端にはナット３３ｄが螺合される。これにより、図２に示すように第１配線２５の圧着端子２５ｄと第２配線２８の圧着端子２８ｄとをナット３３ｄにより圧着させた状態に維持することで第１配線２５と第２配線２８とを電気的に接続している。また、複数の支持ピン３３ｃ及びナット３３ｄにより第１配線２５の端子台装置３０に対する位置決めができる。
【００３１】
ここで、端子台装置３０の端子部３２は、複数の支持ピン３３ｃ及びナット３３ｄにより構成されている。そのため、端子部３２は、端子台３１に設けられ、モータ本体２０が有する回転軸２７の軸方向へ屈曲された第１配線２５と第２配線２８とを電気的に接続する機能を有している。なお、図４に示すが、端子台ロア３３の表面には、第１配線２５の延在方向に沿って設けられている２つの絶縁壁３３ｅを有している。２つの絶縁壁３３ｅは、第１配線２５の延在方向に直交する方向において、３つの配線２５ａ，２５ｂ，２５ｃ及び３つの配線２８ａ，２８ｂ，２８ｃのそれぞれを絶縁する機能を有している。
【００３２】
図１に示すように、端子台ロア３３及び端子台アッパー３４は、フロントカバー４１に対して固定部材としてのボルト４７によって取り付けられている。すなわち、端子台ロア３３及び端子台アッパー３４は、台座としてのフロントカバー４１に対して共通の固定部材としてのボルト４７で取り付けられている。これにより、端子台ロア３３及び端子台アッパー３４は、フロントカバー４１に固定されている。
【００３３】
図２に示すように、端子台アッパー３４は、フロントカバー４１の空間部４５から延在する第１配線２５を覆うように配置されている。なお、回転軸２７の軸方向において、端子台アッパー３４における第１配線２５を覆っている部分の長さは、フロントカバー４１から端子部３２までの長さよりも短い。そのため、端子台アッパー３４で第１配線２５を覆った状態において、端子部３２は、端子台アッパー３４に覆われていない。
【００３４】
端子台アッパー３４には、隔壁部３４ａが設けられている。隔壁部３４ａは、端子台アッパー３４と一体形成されている。隔壁部３４ａは、フロントカバー４１の空間部４５から端子部３２に向かう第１配線２５の延在方向において、空間部４５に挿通されている第１配線２５とフロントカバー４１との間に介在させられている。
【００３５】
図２及び図４に示すように、第１配線２５の延在方向におけるフロントカバー４１側の端子台アッパー３４の外縁には、端子台ロア３３及び端子台アッパー３４をフロントカバー４１に固定したときに端子台ロア３３の外縁を覆うように接触する第１枠部３４ｂが設けられている。また、第１配線２５の延在方向に直交する方向における端子台アッパー３４の外縁には、端子台ロア３３及び端子台アッパー３４をフロントカバー４１に固定したときに端子台ロア３３の外縁を覆うように接触する第２枠部３４ｃが設けられている。すなわち、端子台アッパー３４は、端子台ロア３３とフロントカバー４１に固定されるときに端子台ロア３３を覆うように嵌め込まれている。そして、第１配線２５の延在方向において、第１枠部３４ｂにより端子台アッパー３４の端子台ロア３３に対する位置決めを実施し、第１配線２５の延在方向に直交する方向において、第２枠部３４ｃにより端子台アッパー３４の端子台ロア３３に対する位置決めを実施する。なお、第１枠部３４ｂ及び第２枠部３４ｃにより枠部が構成されている。
【００３６】
本実施形態では以下の作用及び効果を得ることができる。
（１）本実施形態によれば、フロントカバー４１の空間部４５及び端子台ロア３３の開口部３３ａに第１配線２５が挿通されるように端子台ロア３３をフロントカバー４１に取り付けた後、第１配線２５を覆うように端子台アッパー３４を配置する。そして、端子台ロア３３と端子台アッパー３４とをフロントカバー４１に固定する。端子台アッパー３４を端子台ロア３３とともにフロントカバー４１に固定するにあたり、端子台アッパー３４の隔壁部３４ａをフロントカバー４１の空間部４５に挿通させる。このとき、空間部４５に挿通されている第１配線２５と隔壁部３４ａとの接触状態を確認しながら端子台アッパー３４を端子台ロア３３とともにフロントカバー４１に取り付けることができる。したがって、隔壁部３４ａと第１配線２５との間の接触状態を確認しながら組立できる。また、端子台アッパー３４を挿通させる前では、隔壁部３４ａの配置が想定される部分だけ空間部４５を広く確保できるため、組立作業時における第１配線２５の取り回しが行いやすい。
【００３７】
（２）フロントカバー４１の空間部４５及び端子台ロア３３の開口部３３ａに第１配線２５を挿通させ、端子台アッパー３４を取り付けたとき、端子台アッパー３４が端子台ロア３３に対して位置ずれすると、隔壁部３４ａが第１配線２５に対して摺接する可能性が高くなる。
【００３８】
その点、本実施形態では、端子台ロア３３及び端子台アッパー３４をフロントカバー４１に固定したときに端子台ロア３３の外縁を覆うように端子台アッパー３４の第１枠部３４ｂ及び第２枠部３４ｃが接触する。そのため、端子台アッパー３４の端子台ロア３３に対する位置を固定することができる。したがって、第１配線２５と隔壁部３４ａとの接触頻度する可能性を抑制することができる。
【００３９】
（３）本実施形態では、端子台アッパー３４及び端子台ロア３３は、フロントカバー４１に対して共通の固定部材としてのボルト４７で取り付けられている。これにより、端子台アッパー３４と端子台ロア３３との取り付け作業が簡素化できる。
【００４０】
（４）本実施形態では、端子台ロア３３をフロントカバー４１に固定した状態において、端子台ロア３３の開口部３３ａの縁部における第１配線２５の延在方向に直交する方向に対応する部分には、空間部４５に向けて突出する絶縁部３３ｂが設けられている。これにより、第１配線２５とフロントカバー４１とが接触する可能性を更に抑制することができる。
【００４１】
（５）近年、電動モータ１０の小型化の要求がある。電動モータ１０を小型化することにより第１配線２５も短くなる。第１配線２５が短くなるにつれて空間部４５及び開口部３３ａに挿通された第１配線２５を回転軸２７の軸方向へ屈曲させた状態に維持することが難しくなる。
【００４２】
その点、本実施形態の端子台装置３０は端子部３２を備えている。端子部３２により第１配線２５及び第２配線２８を電気的に接続している。また、第１配線２５の端子台装置３０に対する位置決めをしている。そのため、電動モータ１０が小型化したとしても端子部３２により第１配線２５を適切に回転軸２７の軸方向へ屈曲させた状態に維持することができる。
【００４３】
（６）また、（５）に記載したように電動モータ１０の小型化により第１配線２５とフロントカバー４１との間隔が小さくなる虞がある。その場合、本実施形態の端子台アッパー３４の隔壁部３４ａを空間部４５及び開口部３３ａに挿通されている第１配線２５とフロントカバー４１との間に介在させるときに隔壁部３４ａが第１配線２５に対して強く摺接する虞がある。
【００４４】
その点、本実施形態では、（１）に記載したように隔壁部３４ａと第１配線２５との接触状態を確認しながら端子台装置３０を製造できる。よって、隔壁部３４ａを第１配線２５とフロントカバー４１との間に介在させるとき、作業者が隔壁部３４ａと第１配線２５との接触度合いを手応え感として認識することができる。したがって、作業者は端子台アッパー３４を組み付けるときの加える力を加減しながら端子台装置３０を製造できる。
【００４５】
（７）（１）に記載したように隔壁部３４ａと第１配線２５との接触状態を確認しながら端子台装置３０を製造することができる。そのため、作業者は第１配線２５とフロントカバー４１との間の絶縁性が確保されていることを確実に確認した状態で端子台装置３０を製造することができる。したがって、端子台装置３０の安全性を向上させることができる。
【００４６】
（８）端子台アッパー３４及び端子台ロア３３は、モータ本体２０の一部である台座としてのフロントカバー４１に対して共通の固定部材としてのボルト４７で取り付けられている。端子台アッパー３４を取り付ける際には、端子台ロア３３が予めボルト４６によってステータ２１の支持部２１ａに固定されている。そのため、端子台アッパー３４の取り付け作業において、端子台ロア３３の位置が予め定まっているため、端子台アッパー３４の固定は、端子台ロア３３の固定の一部を兼ねることができる構成である。これにより、端子台ロア３３及び端子台アッパー３４の取り付け作業を簡素化できる。また、端子台ロア３３及び端子台アッパー３４のそれぞれをボルトで固定する場合と比較すると、使用するボルト本数を削減可能である。
【００４７】
なお、本実施形態は、以下のように変更して実施することができる。本実施形態及び以下の変更例は、技術的に矛盾しない範囲で互いに組み合わせて実施することができる。
〇  端子台アッパー３４は、第１枠部３４ｂ及び第２枠部３４ｃにより構成される枠部を備えていたが、これに限らない。第１枠部３４ｂのみで枠部を構成するようにしてもよい。このようにしても、第１配線２５の延在方向において、端子台アッパー３４の端子台ロア３３に対する位置決めを実施することができる。また、第１枠部３４ｂ及び第２枠部３４ｃを割愛した端子台アッパー３４を採用してもよい。
【００４８】
〇  端子台ロア３３及び端子台アッパー３４は、絶縁材料であるナイロンにより形成されていたが、例えば一般的な絶縁性を有する樹脂等で形成されていてもよい。
〇  また、端子台ロア３３及び端子台アッパー３４は、耐久性も考慮するのであれば、樹脂に対してガラス繊維を含有したグラファイトＧＦ３０等を使用してもよい。
【００４９】
〇  フロントカバー４１及びリアカバー４２が固定部の一例であったが、例えばモータ本体２０を収容するハウジングを固定部としてもよい。このとき、ハウジングの内面にステータ２１を固定し、ハウジングにおけるステータ２１を固定している壁部に対して第１配線２５を挿通させる空間部を設けるとよい。また、空間部が設けられたハウジングの壁部に端子台３１を固定する。すなわち、ハウジングの壁部は、固定部の一部であり、端子台３１を固定するための台座をなしている。
【００５０】
〇  本実施形態では、端子台アッパー３４は、第１配線２５を覆い、且つ端子部３２を覆っていないが、端子台アッパー３４における第１配線２５を覆っている部分の長さを、フロントカバー４１から端子部３２までの長さよりも長くするように変更し、端子部３２を覆うように配置してもよい。端子台アッパー３４が端子部３２を覆うか否かについては、電動モータ１０が配置される箇所によって変更するとよい。例えば、電動モータ１０が車両に適用され、且つ外部の水等が付着する虞がある箇所に適用されるものであれば、端子台アッパー３４は第１配線２５及び端子部３２を覆うように構成されていればよく、外部の水等が付着しないのであれば本実施形態のように構成するとよい。
【００５１】
〇  端子台ロア３３は、一対の絶縁部３３ｂを有していたが、割愛した構成を採用してもよい。この場合、空間部４５から端子部３２へ向かう第１配線２５の延在方向に直交する方向において、第１配線２５とフロントカバー４１との間隔が絶縁性を十分に確保できる程度に設けられていることが好ましい。
【００５２】
〇  端子台ロア３３が有する絶縁部３３ｂは、第１配線２５の延在方向に直交する方向において第１配線２５とステータ２１とを絶縁する機能を有するように形成されていてもよい。
【００５３】
〇  端子台ロア３３及び端子台アッパー３４をフロントカバー４１に固定する方法としてボルト４７が採用されていたが、これに限らない。例えば、固定部材を、端子台ロア３３及び端子台アッパー３４を貫通してフロントカバー４１に固定される軸部と、スナップピンとにより構成してもよい。本変更例において、固定部材の軸部は、その軸方向に直交する径方向において孔が形成されている。軸部の孔が端子台アッパー３４の表面を臨む位置に配置されるように軸部をフロントカバー４１に固定した後、軸部の孔にスナップピンを挿通することで端子台ロア３３及び端子台アッパー３４をフロントカバー４１に固定できる。なお、スナップピンを軸部の孔に挿通できる棒状部材に変更してもよい。このように変更しても、端子台アッパー３４及び端子台ロア３３を、フロントカバー４１に対して共通の固定部材で取り付けることができる。
【００５４】
〇  本実施形態及び上記の変更例において、端子台アッパー３４及び端子台ロア３３を共通の固定部材でフロントカバー４１に取り付けることに限らず、端子台アッパー３４及び端子台ロア３３のそれぞれを異なる固定部材を用いてフロントカバー４１に固定してもよい。
【００５５】
〇  端子台装置３０は、ボルト４６によりステータ２１の支持部２１ａに固定されていたが、これに限らない。ボルト４６に代替して、上記変更例の固定部材を採用してもよい。
【００５６】
〇  端子部３２は、複数の支持ピン３３ｃとナット３３ｄにより構成されていたが、これに限らない。例えば、ボルトとナット３３ｄにより端子部３２を構成してもよい。第１配線２５及び第２配線２８を電気的に接続し、第１配線２５の端子台装置３０に対して位置決めできるのであればどのように変更してもよい。
【００５７】
〇  開口部３３ａはコの字形状に限られず、端子台ロア３３の板厚方向に貫通するとともに端子台ロア３３をフロントカバー４１に載置している状態で回転軸２７の軸方向に開口していればよい。この場合、絶縁部３３ｂは、第１配線２５の延在方向に直交する方向において第１配線２５とフロントカバー４１とを絶縁する機能を有さないように形成されていることが、組立作業面では好ましい。
【００５８】
〇  端子台アッパー３４で第１配線２５を覆った状態において、端子部３２は、端子台アッパー３４に覆われていてもよい。
〇  電動モータ１０は、上記の車両だけでなく、電動モータ１０の動力を使用するものであればどのようなユニットに適用してもよい。
【符号の説明】
【００５９】
２０…モータ本体、２１…ステータ、２５…第１配線、２７…回転軸、２８…第２配線、３０…端子台装置、３１…端子台、３２…端子部、３３…端子台ロア、３３ａ…開口部、３３ｂ…絶縁部、３４…端子台アッパー、３４ａ…隔壁部、３４ｂ…第１枠部、３４ｃ…第２枠部、４１…フロントカバー、４２…リアカバー、４５…空間部、４７…ボルト。
【図１】
2020205674.tif 000003
【図２】
2020205674.tif 000004
【図３】
2020205674.tif 000005
【図４】
2020205674.tif 000006